(57)【特許請求の範囲】
【請求項１】
梁間方向に配列された３つの柱と、
梁間方向に隣り合う２つの前記柱間に架設され、それぞれ梁間方向の中間部に上方に突出するように屈曲した屈曲部が形成された２つの山型梁と、
該２つの山型梁の上側に配置され前記３つの柱のうちの配列の中間の中間柱および前記２つの山型梁に接合された上弦材と、
前記２つの山型梁と前記上弦材との間に配置され前記２つの山型梁および前記上弦材にそれぞれ接合された束材および斜材と、を有し、
前記上弦材は、前記屈曲部よりも前記中間柱側において前記２つの山型梁に接合されていることを特徴とする架構構造。
【請求項２】
前記上弦材は、前記中間柱と剛接合されていることを特徴とする請求項１に記載の架構構造。
【請求項３】
前記山型梁のそれぞれの前記屈曲部よりも前記中間柱と離間する側の軸線と、前記上弦材の軸線とが平行になるように、前記山型梁に前記上弦材が接合されていることを特徴とする請求項１又は２に記載の架構構造。
【発明の詳細な説明】
【技術分野】
【０００１】
本発明は、架構構造に関する。
【背景技術】
【０００２】
従来、ロングスパンの架構構造として、トラス構造の梁を採用したものが知られている（例えば、特許文献１）。
【先行技術文献】
【特許文献】
【０００３】
【特許文献１】特開平３−２２８９３６号公報
【発明の概要】
【発明が解決しようとする課題】
【０００４】
トラス構造は、ラーメン構造と比べると重量（構造数量）を抑えることができるが、接合部が多いため、部材の増加率（梁材、柱材、束材、斜材などの構造部材の重量と、ガセットプレートやボルトなどの接合部に使用される接合部材の重量との和を構造部材の重量で割った値）が大きくなるという問題がある。
また、トラス構造の梁は、ラーメン構造の梁と比べると建設現場における加工手間がかり、労力および工期がかかるという問題がある。
【０００５】
そこで、本発明は、重量を抑えることができるとともに、建設現場における加工手間を軽減させることができる架構構造を提供することを目的とする。
【課題を解決するための手段】
【０００６】
上記目的を達成するため、本発明に係る架構構造は、梁間方向に配列された３つの柱と、梁間方向に隣り合う２つの前記柱間に架設され、それぞれ梁間方向の中間部に上方に突出するように屈曲した屈曲部が形成された２つの山型梁と、該２つの山型梁の上側に配置され前記３つの柱のうちの配列の中間の中間柱および前記２つの山型梁に接合された上弦材と、前記２つの山型梁と前記上弦材との間に配置され前記２つの山型梁および前記上弦材にそれぞれ接合された束材および斜材と、を有し、前記上弦材は、前記屈曲部よりも前記中間柱側において前記２つの山型梁に接合されていることを特徴とする。
【０００７】
本発明では、２つの山型梁の屈曲部よりも中間柱側の部分、中間柱、上弦材、束材および斜材によってトラス構造が構築されている。そして、このトラス構造は、２つの山型梁のそれぞれの屈曲部の間にのみに形成されている。
このため、梁間方向全体がトラス構造で構築されている架構構造と比べて、トラス構造の部分が少ないため、建設現場における加工手間を抑えることができるとともに、部材の増加率を抑えることができる。なお、本発明において梁間方向とは、平面視における梁が加工される方向（梁の延在方向）を示している。
また、架構全体がラーメン構造で構築されている架構構造と比べて、一部にトラス構造を採用しているため、重量を抑えることができる。
【０００８】
また、本発明に係る架構構造では、前記上弦材は、前記中間柱と剛接合されていることが好ましい。
このような構成とすることにより、上弦材に作用する荷重を中間柱を介して地盤に伝達させることができる。
【０００９】
また、本発明に係る架構構造では、前記山型梁のそれぞれの前記屈曲部よりも前記中間柱と離間する側の軸線と、前記上弦材の軸線とが平行になるように、前記山型梁に前記上弦材が接合されていることが好ましい。
このような構成とすることにより、上弦材の軸力を山型梁に対して山型梁の軸方向に伝達させることができ、上弦材から山型梁に作用する曲げ荷重を軽減させることができる。
【発明の効果】
【００１０】
本発明によれば、重量を抑えることができるとともに、建設現場における加工手間を抑えることができる。
【図面の簡単な説明】
【００１１】
【図１】（ａ）は本発明の実施形態による架構構造の一例を示す上面図、（ｂ）は正面図である。
【図２】図１（ｂ）の部分拡大図である。
【発明を実施するための形態】
【００１２】
以下、本発明の実施形態による架構構造について、図１および図２に基づいて説明する。
図１に示すように、本実施形態による架構構造１は、ロングスパンの建築物１１に採用されている。建築物１１は、平面視で略長方形状に形成されている。ここで、建築物１１の平面視形状である略長方形の辺がそれぞれ延びる方向を梁間方向（図１の矢印Ｘの方向）、桁行方向（図１（ａ）の矢印Ｙの方向、図１（ｂ）の紙面に直交する方向）とする。
本実施形態では、梁間方向全体に展開する架構構造１が桁行方向に間隔をあけて配列されている。桁行方向に隣り合う架構構造１は、桁材やブレースなどによって適宜接合されている。
【００１３】
架構構造１は、梁間方向に間隔をあけて立設された３つの柱２，２，２と、梁間方向に隣り合う２つの柱２，２間それぞれに架設された２つの山型梁３，３と、２つの山型梁３，３の上側に配置され柱２および２つの山型梁３，３にそれぞれ接合された上弦材４と、２つの山型梁３，３および上弦材４にそれぞれ接合された複数の束材５，５…（図１（ｂ）参照）および斜材６，６…（図１（ｂ）参照）と、を有している。
【００１４】
図１および図２に示すように、柱２，２，２は、例えばＨ形鋼などの形鋼で形成され、地盤Ｇに支持された基礎部７上に立設している。３つの柱２，２，２のうちの１つが梁間方向の中間に立設され、残りの２つが梁間方向の両端部に立設されている。ここで、梁間方向の中間に立設された柱２を第１柱（中間柱）２１とし、梁間方向の両端部にそれぞれ立設された２つの柱２，２を第２柱２２，２２とする。
２つの第２柱２２，２２は、略同じ高さ寸法に形成され、第１柱２１は、第２柱２２よりも大きい高さ寸法に形成されている。
【００１５】
２つの山型梁３，３は、梁間方向に直列配置されている。２つの山型梁３，３は、それぞれ例えばＨ形鋼などの形鋼で形成され、梁間方向の略中央部に上側に屈曲する屈曲部３１，３１が形成されている。
山型梁３，３は、それぞれの延在方向の一方の端部３ａが第１柱２１の上端部２１ａよりも低い位置で第１柱２１に剛接合され、他方の端部３ｂが第２柱２２の上端部２２ａに剛接合されている。山型梁３，３は、一方の端部３ａと第１柱２１との接合部が、他方の端部３ｂと第２柱２２，２２との接合部よりも低い位置となるように第１柱２１および第２柱２２に接合されている。
【００１６】
上弦材４は、第１柱２１および２つの山型梁３，３のうちの一方に接合される第１上弦材４１と、第１柱２１および２つの山型梁３，３のうちの他方に接合される第２上弦材４２と、を有している。第１上弦材４１および第２上弦材４２は、例えばＨ形鋼などの形鋼でそれぞれ形成されている。
第１上弦材４１および第２上弦材４２は、それぞれの一方の端部４１ａ，４２ａが第１柱２１の上端部２１ａに接合され、それぞれの他方の端部４１ｂ，４２ｂ（図１（ｂ）参照）が山型梁３の屈曲部３１よりも第１柱２１側の部分３２に接合されている。
【００１７】
第１柱２１は、上端部２１ａが山型梁３と第１上弦材４１の他方の端部４１ｂとの接合部および山型梁３と第２上弦材４２の他方の端部４２ｂ（図１（ｂ）参照）との接合部よりも高い位置に配置されている。このため、第１上弦材４１および第２上弦材４２の軸線は、それぞれ第１柱２１側から第２柱２２側に向かうと漸次下側に向かうように傾斜している。
第１上弦材４１および第２上弦材４２は、これらの軸線がそれぞれ山型梁３，３の屈曲部３１よりも第２柱２２側の部分３３の軸線と略平行となるように山型梁３，３に接合されている。
【００１８】
束材５は、山型梁３と第１上弦材４１の他方の端部４１ｂとの接合部と、第１柱２１との間、および、山型梁３と第２上弦材４２の他方の端部４２ｂとの接合部と、第１柱２１との間に、それぞれ梁間方向に略等間隔をあけて３つずつ配置されている。束材５は、例えばＨ形鋼などの形鋼で形成されている。
束材５は、それぞれ上端部５ａが上弦材４にピン接合され、下端部５ｂが山型梁３にピン接合されている。
【００１９】
斜材６は、隣り合う束材５，５の間および束材５と第１柱２１との間それぞれに配置され、第１柱２１の両側に３つずつ配置されている。斜材６は、例えば、山型鋼などの形鋼で形成されていて、本実施形態では、２つの山型鋼を断面形状が略Ｔ字状となるように接合したものとしている。
斜材６は、第１柱２１側から第２柱２２側に向かうと漸次下側に向かうように傾斜した状態で配置されている。
斜材６は、それぞれ上側となる延在方向の端部６ａが上弦材４にピン接合され、下側となる延在方向の端部６ｂが山型梁３にピン接合されている。
斜材６は、該斜材６の軸線上に第１柱２１の軸線と上弦材４の軸線との交点、束材５の軸線と上弦材４の軸線との交点、および束材５の軸線と山型梁３の軸線との交点が位置するように配置されている。
このような架構構造１では、第１柱２１、上弦材４、２つの山型梁３，３、束材５および斜材６によってトラス構造が構築されている。
【００２０】
次に、上述した架構構造１の作用・効果について図面を用いて説明する。
実施形態による架構構造１では、第１柱２１、２つの山型梁３，３、上弦材４、束材５および斜材６によってトラス構造が構築されている。そして、このトラス構造は、２つの山型梁３，３のそれぞれの屈曲部３１，３１の間にのみに形成されている。
このため、梁間方向全体がトラス構造で構築されている架構構造と比べて、トラス構造の部分が少ないため、建設現場における加工手間を抑えることができるとともに、部材の増加率を抑えることができる。
また、架構全体がラーメン構造で構築されている架構構造と比べて、一部にトラス構造を採用しているため、重量を抑えることができる。
【００２１】
また、上弦材４は、第１柱２１と剛接合されていることにより、上弦材４に作用する荷重を第１柱２１を介して地盤に伝達させることができる。
また、第１上弦材４１および第２上弦材４２は、これらの軸線がそれぞれ山型梁３，３の屈曲部３１よりも第２柱２２側の部分３３の軸線と略平行となるように山型梁３，３に接合されていることにより、上弦材４の軸力を山型梁３にその軸方向に伝達させることができ、上弦材４から山型梁３に作用する曲げ荷重を軽減させることができる。
【００２２】
以上、本発明による架構構造の実施形態について説明したが、本発明は上記の実施形態に限定されるものではなく、その趣旨を逸脱しない範囲で適宜変更可能である。
例えば、上記の実施形態では、架構構造１を採用する建築物１１が平面視において略長方形状に形成されているが、建築物の平面視形状は略長方形状以外でもよい。
また、複数の架構構造１が梁間方向に直列配置されていてもよい。この場合、梁間方向に隣り合う架構構造１それぞれの隣接する側の第２柱２２，２２が共有されていてもよい。
また、上記の実施形態では、山型梁３，３は、第１柱２１との接合部が第２柱２２，２２との接合部よりも低くなるように第１柱２１および第２柱２２に接合されているが、山型梁３，３が第１柱２１および第２柱２２に接合される高さは適宜設定されてよい。
【００２３】
また、上記の実施形態では、第１上弦材４１および第２上弦材４２は、これらの軸線がそれぞれ山型梁３，３の屈曲部３１よりも第２柱２２側の部分３３の軸線と平行になるように山型梁３，３に接合されているが、構造上問題なければこのように接合されていなくてもよい。
また、上記の実施形態では、第１上弦材４１および第２上弦材４２が第１柱２１に剛接合されているが、ピン接合されていてもよい。
また、各部材の数や形状、配置される向きは適宜設定されてよい。
【符号の説明】
【００２４】
１  架構構造
２  柱
３  山型梁
３  軸線
４  上弦材
５  束材
６  斜材
１１  建築物
２１  第１柱（中間柱）
２２  第２柱
３１  屈曲部
【図１】
0006524524.tif 000002
【図２】
0006524524.tif 000003